(57)【特許請求の範囲】
【請求項１】
少なくともメダルの投入口及び払出口が、フロントドアの前面に形成されているスロットマシンであって、
前記フロントドアの下部には、凹部内に収容した照明部によってその背面が照射される下部パネルが設けられており、
前記フロントドアの背面には、ブラケットベースを介して、前記投入口から投入された正規のメダルを選別するメダルセレクタが取り付けられ、
前記下部パネルが設けられる前記凹部の背面には、断面コ字状のシュート部材が取り付けられ、
前記メダルセレクタにより排除されたメダルを前記払出口に導くための返却流路が、前記ブラケットベースの一部の垂直壁面と前記凹部の背面とを対向面として前記シュート部材内に形成されているスロットマシン。
【請求項２】
前記下部パネルには、演出装置が併設されている、請求項１に記載のスロットマシン。
【請求項３】
前記演出装置は、遊技の演出制御を行うためのスイッチ、発光演出表示を行うランプ又は発光演出表示機能を有するボタンスイッチ若しくはスピーカである、請求項２に記載のスロットマシン。
【発明の詳細な説明】
【技術分野】
【０００１】
本発明は、リール装置やメダル払出装置などを収容するキャビネットに対し開閉可能に設けられるフロントドアの構造を簡素化して、デザイン設計における自由度を高く保つスロットマシンに関する。
【背景技術】
【０００２】
スロットマシンは、回転する複数のリールが表示する図柄表示態様に応じて遊技の結果が定められる遊技機である。スロットマシンは、リール装置やメダル払出装置などを収容する箱型のキャビネットと、キャビネットの前面開口部に対し開閉可能に設けられるフロントドアとを備えている。フロントドアの前面側には、装飾された形状の複数のパネル部材によってフロントマスクが形成されている。また、フロントドアの背面側には、四角枠状に囲むフレーム部材が設けられ、フレーム部材の主に下部を塞ぐ位置に略平坦な取付板部材（「裏ベース板」とも称されている。）が設けられている。フロントドアのこの取付板部材の背面側に、メダルを選別するメダルセレクタや演出用のスピーカなどが取り付けられることで、これら遊技内部装置が所定位置に位置決めされている（例えば、特許文献１参照）。
【先行技術文献】
【特許文献】
【０００３】
【特許文献１】特開２０１３−９４５５７号公報
【発明の概要】
【発明が解決しようとする課題】
【０００４】
ところで、従来のスロットマシンでは、フロントマスクのデザインの変更などが生じた場合に、メダルセレクタやスピーカなどの遊技内部装置の取付位置を、上述の取付板部材上で変更するだけで、フロントドア自体には大きな設計変更を行わずに対応している。スロットマシンの製造コストの低減のために、上述の取付板部材を無くした場合には、フロントマスクのデザイン変更時にメダルセレクタやスピーカなどの取り付け位置や形状の見直しなど細部にわたり設計変更が必要となり、却ってコストが嵩むことが想定される。
【０００５】
その一方で、上述の取付板部材は、フロントドアの背面側下部の広い領域を占めているため、例えば大型の演出装置を前面下部に設けようとしても、そのサイズや形状などの設計の自由度が制限されていた。
【０００６】
本発明は、このような課題を解決するためになされたものであり、フロントドアの構造を簡素化してコスト低減を図るとともに、演出装置などを含むフロントマスクのデザイン設計における自由度を高く保つことができるスロットマシンを提供することを目的としている。
【課題を解決するための手段】
【０００７】
上述の課題を解決するため、本発明は、少なくともメダルの投入口及び払出口が、フロントドアの前面に形成されているスロットマシンであって、前記フロントドアの下部には、凹部内に収容した照明部によってその背面が照射される下部パネルが設けられており、前記フロントドアの背面には、ブラケットベースを介して、前記投入口から投入された正規のメダルを選別するメダルセレクタが取り付けられ、前記下部パネルが設けられる前記凹部の背面には、断面コ字状のシュート部材が取り付けられ、前記メダルセレクタにより排除されたメダルを前記払出口に導くための返却流路が、前記ブラケットベースの一部の垂直壁面と前記凹部の背面とを対向面として前記シュート部材内に形成されているスロットマシンである。
【０００８】
また、前記下部パネルには、演出装置が併設されていることが好ましい。また、前記演出装置は、遊技の演出制御を行うためのスイッチ、発光演出表示を行うランプ又は発光演出表示機能を有するボタンスイッチ若しくはスピーカであることが好ましい。
【発明の効果】
【０００９】
本発明によれば、従来用いられていたドアフレームの下部を塞ぐ取付板部材（裏ベース板）を無くしてコスト低減を図ることができる。また、演出装置などを含むフロントマスクのデザイン設計における自由度を高く保つことができる。
【図面の簡単な説明】
【００１０】
【図１】本発明の第１の実施形態によるスロットマシンの正面図である。
【図２】図１のスロットマシンのフロントドアの主な構成を示す分解斜視図である。
【図３】図１のスロットマシンのフロントドアの背面図である。
【図４】図１のスロットマシンのフロントドアの背面側構造を説明するための分解斜視図である。
【図５】本発明の一実施形態による中パネル表示装置の正面図である。
【図６】図５の中パネル表示装置を後方から見た斜視図である。
【図７】図５の中パネル表示装置の縦断面図である。
【図８】本発明の一実施形態による演出ボタンスイッチを前方から見た分解斜視図である。
【図９】図８の演出ボタンスイッチを後方から見た分解斜視図である。
【図１０】図８の演出ボタンスイッチの縦断面図である。
【図１１】本発明の一実施形態によるサイドスピーカユニットの正面図である。
【図１２】図１１のサイドスピーカユニットの斜視図である。
【図１３】本発明の一実施形態によるサイドスピーカユニットを前方から見た分解斜視図である。
【図１４】図１３のサイドスピーカユニットを後方から見た分解斜視図である。
【図１５】本発明の一実施形態によるスロットマシンのキャビネットの正面図である。
【図１６】本発明の第２の実施形態によるスロットマシンの正面図である。
【図１７】図１６のスロットマシンの主にコントロールパネル部の組立構造を説明するための分解斜視図である。
【図１８】本発明の一実施形態による演出ボタンスイッチの斜視図である。
【図１９】図１８の演出ボタンスイッチの２側面図である。
【図２０】図１８の演出ボタンスイッチの押圧操作部を正面から見た図である。
【図２１】図１８の演出ボタンスイッチの分解斜視図である。
【図２２】図１８の演出ボタンスイッチの縦断面図である。
【図２３】図１８の演出ボタンスイッチの演出表示状態を示す図である。
【図２４】図１６のスロットマシンのフロントドアを前方から見た分解斜視図である。
【図２５】図２４のフロントドアを後方から見た斜視図である。
【図２６】本発明の一実施形態によるリールパネルユニットの構造を示す分解斜視図である。
【発明を実施するための形態】
【００１１】
［第１の実施形態］
＜フロントドアの構造＞
本発明の第１の実施形態によるスロットマシン１０について、はじめに、スロットマシン１０のフロントドア２１の構造を説明する。図１は、本発明の第１の実施形態によるフロントドア２１のフロントマスク２０の態様を示す正面図である。また、図２は、フロントドア２１の主な構成を示す分解斜視図である。フロントドア２１は、前方に開口を有する略矩形状の筐体であるキャビネット８０（図１５参照）に対して開閉可能に軸支され、キャビネットの開口を閉塞する位置でロックされている。
【００１２】
例えば図１に示すように、スロットマシン１０のフロントドア２１は、遊技者の視覚に訴える演出的な装飾が施された上パネル部２３、中パネル部２４及び下パネル部２５とから概ね構成されるフロントマスク２０が形成されている。なお、上パネル部２３、中パネル部２４及び下パネル部２５は、それぞれ１つのパネル部材からなるものではなく、複数の成型部材からなるものでもよい。
【００１３】
上パネル部２３は、複数のランプ（発光部）を内部に備え、前面に装飾されたレンズ部材を一体に備える樹脂成型体として形成される。上パネル部２３は、ドアフレーム２２の前面上部に取り付けられる。
【００１４】
中パネル部２４は、透過液晶を有する中パネル表示装置５０と、後述するサイドスピーカユニット１４０Ｌ、１４０Ｒとを有して構成される。中パネル表示装置５０は、ドアフレーム２２の中段に形成される矩形状の開放部２２ａを塞ぐように後方から取り付けられる。詳細は後述するが、その中パネル表示装置５０の略中央には、その背面側に設けられる液晶シャッタ１９０Ｌ、１９０Ｃ、１９０Ｒ（図６参照）を透して、リール４０Ｌ、４０Ｃ、４０Ｒの図柄の表示又は非表示の切り換え制御を可能にする表示窓５０Ｌ、５０Ｃ、５０Ｒが形成されている。
【００１５】
各リール４０Ｃ、４０Ｒ、４０Ｌに表示される３×３個の図柄を横切る直線は、上述の中段水平のラインＬ１と、上段水平のラインＬ２と、下段水平のラインＬ３と、斜め右下がりのラインＬ４と、斜め右上がりのラインＬ５の合計５本ある。表示窓５０Ｌ、５０Ｃ、５０Ｒには、リール４０Ｃ、４０Ｒ、４０Ｌをそれぞれ横切るこれらのラインのうちから入賞判定のライン（有効ライン）が予め定められている。全てのリール４０Ｌ、４０Ｃ、４０Ｒが停止し、予め定めた図柄組合せが何れかの有効ラインに揃って表示されたとき、その図柄組合せに対応する遊技役（単に「役」ともいう。）が、入賞又は成立することになる。例えば、中段水平のラインＬ１だけを有効ラインと定めてもよいし、メダルの投入数（ベット数）に応じて有効ラインの数を増減させてもよい。また、ラインＬ１〜Ｌ５全てを有効ラインとした場合、予め定めた図柄組合せが表示された有効ラインの数に応じて、その役の入賞によるメダルの払い出し枚数を決定してもよい。
【００１６】
また、中パネル表示装置５０において、表示窓５０Ｌ、５０Ｃ、５０Ｒを含む全面が、透過表示領域を含んだ画像表示領域となっている。また、これらの遊技表示領域を構成している中パネル表示装置５０の左右に、後述するサイドスピーカユニット１４０Ｌ、１４０Ｒが、ドアフレーム２２の左右のサイドフレーム２２ｌ、２２ｒに取り付けられている。
【００１７】
操作卓であるコントロールパネル部２６は、下パネル部２５の上部に構成されており、前面に向けて若干傾斜する卓状面をなすテーブルプレート２６ａを有している。このテーブルプレート２６ａの左部には、遊技者がメダルを賭ける（ベットする）操作指示をするための１−ベットスイッチ２７と、マックスベットスイッチ２８と、清算スイッチ３４とが設けられている。１−ベットスイッチ２７が操作されると、スロットマシン１０にクレジットされているメダルのうち１枚が遊技に賭けられる。マックスベットスイッチ２８が操作されると、クレジットされているメダルのうち最大規定枚数である３枚が遊技に賭けられる。清算スイッチ３４が操作されると、投入又はクレジットとして貯留されたメダルが、メダル払出口５２を介して受皿部材５３へ払い戻される。
【００１８】
また、コントロールパネル部２６のテーブルプレート２６ａの右部には、遊技者がスロットマシン１０に直接メダルを投入するスリット（メダル投入口）を有する投入口ユニット２９が設けられている。ここで、メダルの「投入」とは、遊技者が投入口ユニット２９のスリットに直接メダルを投入することの他に、遊技者が上述の１−ベットスイッチ２７又はマックスベットスイッチ２８を操作して、クレジット（内部貯留しているメダル）からメダルを賭けることも、「投入」ということがある。
【００１９】
これらの他に、コントロールパネル部２６のテーブルプレート２６ａには、十字キー３０やプッシュボタン３１などの演出制御に係る各種操作スイッチ類が配置されている。
【００２０】
コントロールパネル部２６の正面左部には、傾倒操作が可能な操作ノブを有するレバースイッチ３２が設けられる。スロットマシン１０に規定枚数のメダルが賭けられた状態でレバースイッチ３２が傾倒操作されると、全てのリール４０Ｌ、４０Ｃ、４０Ｒが一斉に回転を開始する。このレバースイッチ３２を、「スタートレバー」又は「スタートレバースイッチ」ということがある。
【００２１】
コントロールパネル部２６の正面の中央部には、遊技者の押圧操作によってリール４０Ｌ、４０Ｃ、４０Ｒの回転を停止させる操作（これを「停止操作」という。）をするための、３つのストップスイッチ３３Ｌ、３３Ｃ、３３Ｒを有するストップスイッチユニット３３が設けられる。左端のストップスイッチ３３Ｌは左リール４０Ｌに対応し、中央のストップスイッチ３３Ｃは中リール４０Ｃに対応し、右端のストップスイッチ３３Ｒは右リール４０Ｒに対応している。スロットマシン１０は、レバースイッチ３２の傾倒操作により回転したリール４０Ｌ、４０Ｃ、４０Ｒに対し、左のストップスイッチ３３Ｌが操作されると左リール４０Ｌが停止し、中央のストップスイッチ３３Ｃが操作されると中リール４０Ｃが停止し、右のストップスイッチ３３Ｒが操作されると右リール４０Ｒが停止するように構成されている。また、ストップスイッチの操作を契機にリールが停止するときには、規定される停止時間内の制御コマ数（例えば５コマ）以内の図柄が選択されて、所定の有効ラインに引き込み停止するように制御される。
【００２２】
また、コントロールパネル部２６の正面右部には、メダルセレクタ５７（図３参照）の内部に滞留したメダルなどを排除して、メダル払出口５２から回収するリジェクトボタン３５が設けられている。
【００２３】
下パネル部２５において、コントロールパネル部２６の下方には、スロットマシン遊技の演出制御を行うための演出スイッチである、後述する演出ボタンスイッチ１１０と、スロットマシン１０のテーマを印象付けるキャラクタなどが描かれたシート部材を挟持する下部パネル５１とが設けられている。
【００２４】
下パネル部２５は、ドアフレーム２２の下部領域に設けられている裏ベース板５８に対向してドアフレーム２２に取り付けられる。下パネル部２５の下方部において、メダル払出口５２と、背後に設置されるスピーカ６２Ｌ、６２Ｒ（図３参照）からの出力音を通す多数の孔からなる放音部５４Ｌ、５４Ｒとが形成された金属板（「グリル板」ともいう。）５９が、ドアフレーム２２の最下部に固定されている。また、メダル払出口５２から払い出されたメダルを受ける受皿部材５３が、ドアフレーム２２の下部領域に取り付けられている。
【００２５】
次に、フロントドア２１の背面側の構造を説明する。図３は、キャビネット８０から取り外した状態のフロントドア２１の背面図である。また、図４は、フロントドア２１の背面側構造を説明するための分解斜視図である。
【００２６】
ドアフレーム２２の背面側には、倒コ字状に連結された補強フレーム９３ｕ、９３ｌ、９３ｒが取り付けられる。左の補強フレーム９３ｌの上下位置には、キャビネット８０の側板８０ｌ（図１５参照）に設けた軸受部材８７Ｕ、８７Ｌに軸支される上ヒンジ９４Ｕ、及び下ヒンジ９４Ｌが設けられている。右の補強フレーム９３ｒには、キャビネット８０の側板８０ｒ（図１５参照）に係止して、キャビネット８０を閉じる位置にフロントドア２１を施錠するシリンダ錠９５が設けられている。
【００２７】
補強フレーム９３ｕ、９３ｌ、９３ｒの上部には、中パネル表示装置５０が取り付けられる。また、中パネル表示装置５０の背面側上部にはサブ制御ユニット９１が、ブラケット部材９２にロックされた状態で固定されている。サブ制御ユニット９１は、透明な硬質樹脂ケース内に、スロットマシン１０の演出動作を制御するサブ制御基板と、中パネル表示装置５０に備えられる透過液晶の画像表示制御を行う画像表示制御基板とを搭載している。
【００２８】
中パネル表示装置５０の下方には、上述したストップスイッチユニット３３やマックスベットスイッチ２８などを収容し、かつ、これらスイッチ類の信号配線の中継端子板としての役割も有する中継基板ケース５６が、裏ベース板５８の上部に取り付けられている。また、中継基板ケース５６の左上方には、上述したレバースイッチ３２を収容し、かつ保持するレバースイッチ収容部５５が裏ベース板５８の上部に設けられている。
【００２９】
図３において、中継基板ケース５６の左方（フロントマスク正面から見た場合には右方）には、セレクタブラケット６０を介してメダルセレクタ５７が、裏ベース板５８の背面に取り付けられている。メダルセレクタ５７は、遊技開始時など、メダルの投入受け付けが可能な時期に、投入口ユニット２９に投入された正規のメダルを選別する装置である。メダルセレクタ５７により正規のメダルとして選別され、投入が受け付けたメダルは、メダル案内流路６０ａを通りメダル払出装置８２のホッパーに導かれる。
【００３０】
また、メダルセレクタ５７の下方には、キャンセルシュート成型体６１が、裏ベース板５８の背面に取り付けられている。キャンセルシュート成型体６１は、前方側が開放する断面コ字状の樹脂成型部材からなる。図３に示すように、キャンセルシュート成型体６１の上部には、メダルセレクタ５７により投入受け付けが拒否され排除されたメダル（不正規のメダルを含む。）をメダル払出口５２へ落とす返却流路部６１ａが形成されている。また、キャンセルシュート成型体６１の下部には、キャビネット８０に設置されるメダル払出装置８２（図１５参照）のメダル放出口に接続する開口６１ｃを有する払出流路部６１ｂと、返却流路部６１ａ及び払出流路部６１ｂが連結する合流部６１ｄとを備えている。裏ベース板５８の背面を対向面とするキャンセルシュート成型体６１内に、メダル払出装置８２からの払い出しメダルと、メダルセレクタ５７からのキャンセルメダルをメダル払出口５２に導くメダル排出流路が形成される。
【００３１】
また、裏ベース板５８の下方部には、上述した下パネル部２５の放音部５４Ｌ、５４Ｒに対向する左右２つのスピーカ６２Ｌ、６２Ｒが取り付けられている。
【００３２】
（中パネル表示装置）
次に、スロットマシン１０のフロントドア２１中段部に設けられる、中パネル表示装置５０について説明する。ここで、図５は、中パネル表示装置５０の正面図である。図６は、中パネル表示装置５０を後方から見た斜視図である。図７は、図５のVII-VII位置で切断した場合の中パネル表示装置５０の縦断面図である。
【００３３】
中パネル表示装置５０は、四角枠状の本体フレームケース１８１と、本体フレームケース１８１の背後に設けられる後ケース部材１８２と、本体フレームケース１８１の四角枠内に設けられる透過液晶１８９と、透過液晶１８９の前面を保護する透明なアクリル板からなる前パネル１８３とを備えている。
【００３４】
後ケース部材１８２には、リール４０Ｌ、４０Ｃ、４０Ｒ（図１５参照）の位置に対応して矩形状の開放部が形成されており、この開放部が透過液晶１８９の下部領域で塞がれている。後ケース部材１８２の開放部を塞ぐ透過液晶１８９の背面には、少なくとも３枚の四角形の液晶シャッタ１９０Ｌ、１９０Ｃ、１９０Ｒが、キャビネット８０に配置されるリール４０Ｌ、４０Ｃ、４０Ｒ（図１５参照）の前面に対応して設けられている。
【００３５】
液晶シャッタ１９０Ｌ、１９０Ｃ、１９０Ｒは、所定以上の電圧を印可すると、内部に充填されている高分子ポリマーが一方向に整列して透明になるシート部材である。液晶シャッタ１９０Ｌ、１９０Ｃ、１９０Ｒは、電圧を印可しなければ、高分子ポリマーの配列が乱れ、全体として不透明な白濁色を呈する。そのため、所定の電圧を液晶シャッタ１９０Ｌ、１９０Ｃ、１９０Ｒに印可して透明にした表示窓５０Ｌ、５０Ｃ、５０Ｒを透して、後方のリール４０Ｌ、４０Ｃ、４０Ｒの図柄を表示する図柄表示制御状態と、電圧を印可しないで液晶シャッタ１９０Ｌ、１９０Ｃ、１９０Ｒを白濁色にし、これにより透過液晶１８９で表示する透過画像に後方から反射光を照射する画像表示制御状態（図柄非表示制御状態）に切り換えることができる。また、各リール４０Ｌ、４０Ｃ、４０Ｒごとに、図柄を表示する３個所の表示窓５０Ｌ、５０Ｃ、５０Ｒを選択的に図柄表示・非表示を切り換えてもよい。また、リール４０Ｌ、４０Ｃ、４０Ｒが表示可能な３×３個の図柄配列に対応して、３×３枚の液晶シャッタを透過液晶１８９の背面に設け、各リールが表示する図柄ごとに選択的に図柄表示・非表示を切り換えてもよい。
【００３６】
なお、キャビネット８０内に、遊技結果に影響を与えない演出目的の例えばサブリールなどの役物装置（図示略）を備えている実施形態のスロットマシンの場合には、例えば図３に示されるように、右表示窓５０Ｒに隣接して演出用液晶シャッタ１９１を設けてもよい。この実施形態よれば、例えば遊技の進行状況に応じて、サブリールなどの役物装置の表示・非表示の切り換えが可能になり、演出態様を多様化することができる。
また、擬似遊技などの、遊技の結果やメダルの払い出しに直接的な影響をもたらさない期間においては、サブ制御基板が液晶シャッタ１９０Ｌ、１９０Ｃ、１９０Ｒを図柄表示制御状態（つまり、表示窓５０Ｌ、５０Ｃ、５０Ｒが透明となった状態）にして、回転中のリール４０Ｌ、４０Ｃ、４０Ｒを背景に、又は、停止若しくは擬似停止したリール４０Ｌ、４０Ｃ、４０Ｒが表示する図柄を背景にして、透過画像をオーバラップして表示してもよい。
このように、液晶シャッタ１９０Ｌ、１９０Ｃ、１９０Ｒを備える中パネル表示装置５０によれば、図柄などの表示態様を多様化して遊技演出効果を高めることができ、遊技の興趣を増すことができる。
【００３７】
また、中パネル表示装置５０は、後ケース部材１８２の開口部の上端にリール間接照明部１８５と、開口部の下端にリール補助照明部１８６と、開口部の左右両端に横遮光壁１８４ｌ、１８４ｒを備えている。
【００３８】
リール間接照明部１８５は、上方から斜め前方に光を放射する複数の白色ＬＥＤチップ１８５ａ、１８５ａ、・・・が、後ケース部材１８２の開口部上端に沿って配列して設けられている。ＬＥＤチップ１８５ａ、１８５ａ、・・・が放射する白色光は、拡散シート１８７及び白色カバー１８８を透して拡散され、リール４０Ｌ、４０Ｃ、４０Ｒの前面を間接的に照明する。また、ＬＥＤチップ１８５ａ、１８５ａ、・・・は、透過表示領域にある透過液晶１８９による液晶表示に対するバックライト光源の光量を補助する役割も兼ねている。
【００３９】
リール補助照明部１８６は、下方から斜め後方に光を放射する複数の白色ＬＥＤチップ１８６ａ、１８６ａ、・・・が、後ケース部材１８２の開口部下端に沿って配列して設けられている。ＬＥＤチップ１８６ａ、１８６ａ、・・・が放射する白色光も、拡散シート１８７及び白色カバー１８８を透して拡散され、リール４０Ｌ、４０Ｃ、４０Ｒの前面を補助的に照明する。
【００４０】
（演出ボタンスイッチ）
次に、スロットマシン１０の下パネル部２５に設けられる、本発明において特徴的な演出スイッチとしての演出ボタンスイッチ１１０の詳細を説明する。ここで、図８は、前方から見た演出ボタンスイッチ１１０の分解斜視図である。図９は、後方から見た演出ボタンスイッチ１１０の分解斜視図である。図１０は、演出ボタンスイッチ１１０の縦断面図である。
【００４１】
これらの図に示される演出ボタンスイッチ１１０は、スイッチの最も外側に位置する正面視円形の押圧操作部１１１を備えている。すなわち、押圧操作部１１１は、中心が前方に若干突出する円形ドーム状の押圧面部１１１ａと、押圧面部１１１ａの周縁で円筒状に後方（これを「押圧方向」ともいう。）に延びる端部１１１ｂとを有しており、全体が肉厚で透光性を有する硬質の樹脂で形成される。ここで、「透光性を有する」とは、透明であることの他に、光拡散性を有するフィラーなどが透明樹脂に添付され又は表面にシボ加工が施されて半透明である状態を含む。
【００４２】
押圧操作部１１１の後方に配置される内カバー部材１１２は、押圧操作部１１１の押圧面部１１１ａと同様に円形ドーム状であり、押圧面部１１１ａよりも小さな直径を有している。内カバー部材１１２も透光性を有する（透明又は半透明）樹脂から形成されるが、押圧操作部１１１が透明である場合には、内カバー部材１１２は半透明であることが好ましい。
【００４３】
レンズ部材１１４は、外形が概ね円盤状の透明樹脂からなり、周方向に沿って複数の三角レンズ部１１５ａ、１１５ａ、・・・と、三角レンズ部の間に複数の角柱状レンズ部１１５ｂ、１１５ｂ、・・・とが配列して形成されている。また、レンズ部材１１４の中央には、後述する可動盤部材１１８の台部１１８ａが挿入可能な、例えば四角形の開口１１４ａが形成されている。三角レンズ部１１５ａ、・・・及び角柱状レンズ部１１５ｂ、・・・は、次に説明するＬＥＤ基板１１６のＬＥＤチップ１１７、１１７、・・・の光を多方向に拡散するように、レンズ表面やその外形が成形されている。
【００４４】
ＬＥＤ基板１１６は、レンズ部材１１４と略同径の円板状を有する回路基板である。ＬＥＤ基板１１６の中央には、レンズ部材１１４と同様に、可動盤部材１１８の台部１１８ａが挿入可能な開口１１６ａが形成されている。そして、ＬＥＤ基板１１６の開口１１６ａを除く前面には、その円周方向に沿って、好ましくは等間隔に、複数のＬＥＤチップ１１７、１１７、・・・が実装されている。複数のＬＥＤチップ１１７、１１７、・・・は、単色のＬＥＤ素子からなるもの、又は、三原色を組み合わせた白色若しくはフルカラーを出力可能な複数のＬＥＤ素子からなるものの何れでもよい。また、ＬＥＤ基板１１６の背面には、スイッチの押圧操作を検知するためのスイッチ素子である光センサ１３０が実装されている。
【００４５】
なお、内カバー部材１１２と、発光素子であるＬＥＤチップ１１７、１１７、・・・を実装するＬＥＤ基板１１６との間にレンズ部材１１４が収容されることで発光部が構成され、これらは後述するようにスペーサ部１１９ｂ、１１９ｂ、・・・を介してベース部材１１９に固定される。
【００４６】
ＬＥＤ基板１１６の後方に配置される可動盤部材１１８は、前方の押圧操作部１１１に連結し、押圧操作部１１１の押圧操作に連動して変位する部材である。可動盤部材１１８は、ＬＥＤ基板１１６と略同径の円盤状部材であり、例えば硬質の樹脂により一体成型される。可動盤部材１１８の中央には、四角形の台部１１８ａと、円形の被加振部１１８ｂとが階段ピラミッド状に形成されている。また、可動盤部材１１８には、台部１１８ａの周囲に、ＬＥＤ基板１１６の背面のコネクタ１３２を、ベース部材１１９側に通すコネクタ孔１１８ｃと、ベース部材１１９のスペーサ部１１９ｂ、１１９ｂ、・・・を移動可能に貫通させるスペーサ孔１１８ｄ、１１８ｄ、・・・が開口形成されている。
【００４７】
また、可動盤部材１１８には、当該可動盤部材１１８の押圧方向の動作をガイドする、バネクッション１３１、・・・の軸１３１ａ、・・・を挿着させて、そのバネ１３１ｂ、・・・による付勢力を受ける複数の付勢軸受部１１８ｅ、・・・や、ＬＥＤ基板１１６の背面に実装された光センサ１３０を遮光（オフ）する遮光板１１８ｆが形成されている。
【００４８】
その他、可動盤部材１１８の外周部には、その周方向に沿って押圧操作部１１１の端部１１１ｂに当接する段部１１８ｉと、端部１１１ｂを結合させるネジ孔１１８ｈと、ベース部材１１９に係止する爪部１１８ｇが形成されている。
【００４９】
ベース部材１１９は、演出ボタンスイッチ１１０の円筒状の胴部を有するハウジングケースであり、例えば硬質の樹脂により一体成型される。ベース部材１１９の底部には、ソレノイドユニット１２０の後部を挿入させて取り付けるための開口部１１９ａが形成されている。また、ベース部材１１９の底部には、上述したＬＥＤ基板１１６やレンズ部材１１４などを、一定の間隙を有して固定するためのスペーサ部１１９ｂ、１１９ｂ、・・・と、バネクッション１３１、１３１、・・・の基端部を受けるクッション受部１１９ｃ、１１９ｃ、・・・と、ＬＥＤ基板１１６に接続するコネクタを介して、光センサ１３０が出力する押圧操作信号用の配線や、光センサ１３０及びＬＥＤチップ１１７、１１７、・・・を駆動するための電源用の配線を外部に取り出すハーネス孔１１９ｄなどが形成されている。
【００５０】
その他、ベース部材１１９の円筒部には、可動盤部材１１８の爪部１１８ｇが内側から係止して抜け止めさせる係止孔１１９ｅ、１１９ｅや、演出ボタンスイッチ１１０を、スロトマシン１０のフロントマスク２０に取り付けて固定するためのブラケット部１１９ｆ、１１９ｆ、・・・などが、適宜の位置に形成されている。
【００５１】
可動盤部材１１８の後方位置には、該可動盤部材に対し振動を付与することが可能な振動発生部が設けられている。振動発生部を構成するソレノイドユニット１２０は、電磁気力を発生するソレノイド１２１を備えており、外部から供給される交番駆動電流に従ってソレノイド１２１がプランジャ１２２を直動方向に振動させる。プランジャ１２２の先端には加振部１２３が固定されている。また、上下にフランジ１２４ａ、１２４ｂを有する取付金具１２４がソレノイド１２１を囲むように固定されている。
【００５２】
後述するように、演出ボタンスイッチ１１０は、この加振部１２３が、前方の可動盤部材１１８の被加振部１１８ｂの背面に当接して直接的に振動を伝達したり、又は段発的に衝撃を加えたりできるように構成されている。また、押圧操作部１１１が所定量押圧された位置で、ソレノイド１２１による可動盤部材１１８への振動の付与が可能とされている。
【００５３】
演出ボタンスイッチ１１０は、次のようにして組み立てられる。先ず、ベース部材１１９の開口部１１９ａに、ソレノイドユニット１２０の後部を挿入して、取付金具１２４の上下のフランジ１２４ａ、１２４ｂをベース部材１１９の底部にネジ止めする。これにより、ソレノイドユニット１２０がベース部材１１９に取り付けられる。一方、レンズ部材１１４の前面には内カバー部材１１２を被せて、レンズ部材１１４の外周縁と内カバー部材１１２の内周縁とが接する位置でこれらをネジ止めしておく。
【００５４】
次に、付勢手段であるバネクッション１３１、１３１、・・・を、ベース部材１１９と可動盤部材１１８との間に介在させた状態で、可動盤部材１１８のスペーサ孔１１８ｄ、１１８ｄ、・・・にベース部材１１９のスペーサ部１１９ｂ、１１９ｂ、・・・を挿入する。このとき、各ベース部材１１９のクッション受部１１９ｃには、各バネクッション１３１のバネ１３１ｂが設置されるとともに、バネクッション１３１の軸１３１ａの切欠き部を有する基端部が、クッション受部１１９ｃの中央の穴に嵌合する。これにより、バネクッション１３１の軸１３１ａの回転が規制される。
【００５５】
一方、各バネクッション１３１の軸１３１ａの先端部は、可動盤部材１１８の付勢軸受部１１８ｅに挿着する。そして、可動盤部材１１８をベース部材１１９側に更に押し込むことにより、可動盤部材１１８の爪部１１８ｇ、１１８ｇが、ベース部材１１９の係止孔１１９ｅに内側から係止する。これにより、可動盤部材１１８は、バネクッション１３１、１３１、・・・により前方へ常時付勢され、かつ、爪部１１８ｇ、１１８ｇが係止孔１１９ｅに係止して抜け止めされる。
【００５６】
そして、可動盤部材１１８の前面にＬＥＤ基板１１６の背面を対向させ、スペーサ部１１９ｂ、１１９ｂ、・・・の先端部を、ＬＥＤ基板１１６のスペーサ孔１１６ｂに挿入し、可動盤部材１１８の台部１１８ａを、ＬＥＤ基板１１６の開口１１６ａに挿入する。この状態で、更にＬＥＤ基板１１６の前面に、内カバー部材１１２を取り付けたレンズ部材１１４を対向配置し、ベース部材１１９の背後から、スペーサ部１１９ｂ、１１９ｂ、・・・の先端部を、レンズ部材１１４の背面のボス部にネジ止めする。このとき、レンズ部材１１４の開口１１４ａに、可動盤部材１１８の台部１１８ａが挿入される。なお、スペーサ部１１９ｂ、１１９ｂ、・・・の先端部は段付きとなっており、その段付き部とレンズ部材１１４との間にＬＥＤ基板１１６のスペーサ孔１１６ｂ、１１６ｂ、・・・の周縁部が挟持される。これにより、ＬＥＤ基板１１６とレンズ部材１１４とが、共に、スペーサ部１１９ｂ、１１９ｂ、・・・を介して、一定の間隙を有してベース部材１１９に固定される。
【００５７】
次に、押圧操作部１１１を内カバー部材１１２の前面に被せるようにして、その端部１１１ｂをベース部材１１９の胴部に挿入し、可動盤部材１１８の外周部の段部１１８ｉに押圧操作部１１１の端部１１１ｂを当接させる。これにより、押圧操作部１１１の前後方向の位置が定まり、押圧操作部１１１の端部１１１ｂに設けられた孔金具１１１ｃの孔と、可動盤部材１１８の外周縁のネジ孔１１８ｈとが一致する。そして、ベース部材１１９の胴部に形成された孔１１９ｇから図示しないネジを、押圧操作部１１１の孔金具１１１ｃの孔と可動盤部材１１８のネジ孔１１８ｈに螺入して、押圧操作部１１１と可動盤部材１１８とを接合する。
【００５８】
次に、演出ボタンスイッチ１１０の動作を説明する。演出ボタンスイッチ１１０は、可動盤部材１１８とこれに連結する押圧操作部１１１とが、バネクッション１３１、１３１、・・・のバネ１３１ｂ、１３１ｂ、・・・により、常時前方に付勢されている。この通常の状態では、可動盤部材１１８の遮光板１１８ｆが、ＬＥＤ基板１１６の背面の光センサ１３０の透過光を遮断し、光センサ１３０が出力する押圧操作信号はオフとなっている。また、特に図１０の断面図に示すように、押圧操作部１１１が押圧操作されていない位置では、ソレノイドユニット１２０のプランジャ１２２先端に設けた加振部１２３と、可動盤部材１１８の被加振部１１８ｂの背面との距離は、プランジャ１２２のストローク以上あり、これらは当接しない。
【００５９】
押圧操作部１１１が、バネ１３１ｂ、１３１ｂ、・・・の付勢力に抗して押圧操作されると、これに連動して可動盤部材１１８が後方（押圧方向）に移動する。押圧操作量が所定量を超えると、可動盤部材１１８の遮光板１１８ｆがＬＥＤ基板１１６の背面の光センサ１３０から離れ、光センサ１３０が透過光を検知し、これによりオンの押圧操作信号が出力される。また、押圧操作部１１１が所定量押圧操作された位置では、プランジャ１２２先端の加振部１２３と、可動盤部材１１８の被加振部１１８ｂの背面との距離が、プランジャ１２２のストローク以下となる。つまり、この押圧操作された状態では、外部からの交番駆動電流に従って励磁したソレノイド１２１のプランジャ１２２の先端（加振部１２３）が、被加振部１１８ｂの背面に接触可能となり、可動盤部材１１８に直接的に振動を伝達したり、又は段発的に衝撃を加えたりすることが可能となる。
【００６０】
このような構成の演出ボタンスイッチ１１０によれば、演出光を表示する発光部や、振動や衝撃を発生させる振動発生部など、遊技者の視覚や体性感覚などに訴える機能性が付加されており、これにより遊技の感動をタイムリーに遊技者に体感させることができる。したがって、遊技者に遊技演出を強く印象付けることができる。
【００６１】
また、演出ボタンスイッチ１１０は、ＬＥＤ基板１１６の前方に配置されたレンズ部材１１４の三角レンズ部１１５ａ・・・や角柱状レンズ部１１５ｂ、・・・を透して複数のＬＥＤチップ１１７、１１７、・・・からの光を拡散する。そして、透光性を有する内カバー部材１１２及び押圧操作部１１１を透して、そのような興趣性の高い演出光に変換したＬＥＤ光を、遊技者などに視認可能に表示することができる。
【００６２】
また、押圧操作部１１１の端部１１１ｂが可動盤部材１１８の段部１１８ｉに当接して結合しているため、押圧操作部１１１が前方から衝撃力を受けたときの耐衝撃性が増している。更に押圧操作部１１１の後方に内カバー部材１１２を配置したことにより、仮に押圧操作部１１１が衝撃などで破損されても、レンズ部材１１４が内カバー部材１１２で保護される。また、遊技者がレンズに触れて怪我をすることもない。
【００６３】
（サイドスピーカユニット）
次に、中パネル部２４の両側に設けられる、本発明において特徴的なサイドスピーカユニットを説明する。図１１は、正面から向かって右のサイドスピーカユニット１４０Ｒの正面図であり、図１２は、同じく右のサイドスピーカユニット１４０Ｒの斜視図である。サイドスピーカユニット１４０Ｌ、１４０Ｒは左右対称の構造を有しており、ここでは、図１３と図１４を参照して、左のサイドスピーカユニット１４０Ｌの構造を代表して説明する。
【００６４】
図１３は、前方から見たサイドスピーカユニット１４０Ｌの分解斜視図であり、図１４は、後方から見たサイドスピーカユニット１４０Ｌの分解斜視図である。サイドスピーカユニット１４０Ｌの外装成型部材１４１は、縦長で概ね例えば箱船の形状を模して一体成型された樹脂部材からなる。フロントマスク２０の一部を構成する外装成型部材１４１は、正面視において２つの凹領域が形成され、それぞれの底部が上開口１４５及び下開口１４６となっている。外装成型部材１４１の後方部は開放している。
【００６５】
更に詳細に説明すると、外装成型部材１４１の前方上下部は、それぞれの先端部分が前方に突出し中央に向かって次第に広がるフレア部１４２、１４３が形成されている。フレア部１４２、１４３は、サイドスピーカユニット１４０Ｒがサイドフレーム２２ｒに取り付けたときに外部に露出する部分であり、例えば、上側のフレア部１４２の前端面１４２ａや、下側のフレア部１４３の傾斜側面１４３ａ、１４３ｂなどに適宜の装飾模様が施されている。
【００６６】
外装成型部材１４１の略中央には、上下のフレア部１４２、１４３を斜めに分割する発光演出部である中央ランプ部１４４が一体形成されている。外装成型部材１４１の前面側には、上下２つの凹領域が、発光演出部である中央ランプ部１４４を挟んで併設して形成されている。つまり、この中央ランプ部１４４の上側壁と、フレア部１４２の対向する２つの内向壁１４２ｃとにより上側の凹領域が形成され、その底部に略鋭角三角形（逆Ｖ字形）の上開口１４５が画成されている。また、中央ランプ部１４４の下側壁と、フレア部１４３の対向する２つの内向壁１４３ｃとにより下側の凹領域が形成され、その底部に略鋭角逆三角形（Ｖ字形）の下開口１４６が画成されている。また、中央ランプ部１４４の中央に、後述する中央レンズ部材１７８を嵌合させるための中開口１４７が形成されている。
【００６７】
上側のスピーカ１５１の放音面（コーン面）側には、略三角形の開口１５３ａを有する取付板１５３がネジ止め固定される。また、下側のスピーカ１５２の放音面（コーン面）側には、略逆三角形の開口１５４ａを有する取付板１５４がネジ止め固定される。
【００６８】
上側のスピーカ１５１の取付板１５３の前面には、多数の孔を有する放音板１５５が対向して配置され、下側のスピーカ１５２の取付板１５４の前面にも、多数の孔を有する放音板１５６が対向して配置される。いわゆるグリル板である放音板１５５、１５６は、それぞれ外装成型部材１４１の上開口１４５、下開口１４６に倣った略鋭角三角形、略鋭角逆三角形に形成された金属板からなる。放音板１５５、１５６の間接照明の演出効果を高めるため、放音板１５５、１５６の配色を、例えばＬＥＤ光の色と同じ色か又は逆に反対色（補色）にしたり、又は表面につや消し処理やショットブラスト処理などを施したりしてもよい。
【００６９】
上側の導光部材１６１は、透明又は色付き半透明の樹脂部材からなり、Ｖ字状仕切溝１６１ａと、Ｖ字状仕切溝１６１ａの前端の段部１６１ｂとを有している。同じく下側の導光部材１６２も、透明又は色付き半透明の樹脂部材からなり、Ｖ字状仕切溝１６２ａと、Ｖ字状仕切溝１６２ａの前端の段部１６２ｂとを有している。各導光部材１６１、１６２は、外装成型部材１４１の後方から挿入され、各段部１６１ｂ、１６２ｂが、外装成型部材１４１の内向壁１４２ｃ、１４３ｃの各後端に形成された被嵌合段部１４２ｄ、１４３ｄにそれぞれ嵌合して装着される。
【００７０】
特に図１４に示されるように、下側のＬＥＤ基板１５８は、取付板１５４の下端部にネジ止めされる。つまり、ＬＥＤ基板１５８は、放音板１５６と同一面位置か、又は放音板１５５よりも若干前方の位置に固定される。ＬＥＤ基板１５８には、放音板１５６側に向けて下方から光を照射するサイドビュータイプのＬＥＤチップ１５９、１５９、・・・が複数実装されている。ＬＥＤチップ１５９は、単色のＬＥＤ素子からなるもの、又は、三原色を組み合わせた白色若しくはフルカラーを出力可能な複数のＬＥＤ素子からなるものの何れでもよい。ＬＥＤ基板１５８は、上述した導光部材１６２の後方に配置され、ＬＥＤチップ１５９、１５９、・・・は、Ｖ字状仕切溝１６２ａの外側面に沿って上方に光を放射する。
【００７１】
外装成型部材１４１のフレア部１４２の側面には、上開口１４５に通じる縦長のスリット口１４８が形成されている。フロントドア２１の上パネル部２３に設けられた図示しない発光部のＬＥＤ基板からの光が、このスリット口１４８を通して外装成型部材１４１内に入射し、これにより導光部材１６１のＶ字状仕切溝１６１ａに沿って下方に光が放射される。
【００７２】
このように組み立てられた、スピーカ１５１、１５２などを含むユニットが、外装成型部材１４１の後方部から挿入され、上開口１４５及び下開口１４６を放音板１５５及び１５６が塞ぐ位置で図示しないネジにより取り付けられる。
【００７３】
また、ＬＥＤユニット１７１が、中央ランプ部１４４の発光部として、その内部に後方から取り付けられる。ＬＥＤユニット１７１は、両面に実装可能な回路基板であるＬＥＤ基板１７２と、ＬＥＤ基板１７２を装着して上下から抱き合わせて結合される上ブラケット１７３及び下ブラケット１７４を備えている。ＬＥＤ基板１７２の上面には、上側の放音板１５５を下方から間接的に照明するトップビュータイプのＬＥＤチップ（第１の発光素子）１７５、１７５、・・・が実装されている。また、ＬＥＤ基板１７２の下面には、下側の放音板１５６を上方から間接的に照明するトップビュータイプのＬＥＤチップ（第１の発光素子）１７６、１７６、・・・が実装されている。更に、ＬＥＤ基板１７２の前端部側には、前方に配置される中央レンズ部材１７８に向けて光を放射するサイドビュータイプのＬＥＤチップ（第２の発光素子）１７７が実装されている。これらのＬＥＤチップ１７５、１７６、１７７は、単色のＬＥＤ素子からなるもの、又は、三原色を組み合わせた白色若しくはフルカラーを出力可能な複数のＬＥＤ素子からなるものの何れでもよい。
【００７４】
上ブラケット１７３には、仕切部（リブ）１７３ａの後方に開口部が形成されている。なお、仕切部１７３ａは、トップビュータイプのＬＥＤチップ（第１の発光素子）１７５が放射する光と、サイドビュータイプのＬＥＤチップ（第２の発光素子）１７７が放射する光とが干渉するのを防ぐために設けられている。上開口１４５の内向壁１４２ｃと放音板１５５とを間接的に照明するトップビュータイプのＬＥＤチップ１７５、１７５、・・・を、仕切部１７３ａの後方の開口部から露出させ、中央ランプ部１４４を照明するサイドビュータイプのＬＥＤチップ１７７を仕切部１７２ａよりも前方の位置に配置して、上ブラケット１７３にＬＥＤ基板１７２が装着される。下ブラケット１７４も同様にＬＥＤ基板１７２を装着し、図示しないネジにより上下のブラケット１７３、１７４が結合される。
【００７５】
このように組み立てられたＬＥＤユニット１７１は、上ブラケット１７３の取付部１７３ｃが、上側のスピーカ１５１の取付板１５３の下部に形成されるボス部１５３ｃにネジ止めされ、下ブラケット１７４の取付部１７４ｃが、下側のスピーカ１５２の取付板１５４の上部に形成されるボス部１５４ｃにネジ止めされる。これにより、ＬＥＤチップ１７５、１７６、１７７が放音板１５５、１５６よりも前方に位置して、上下のスピーカ１５１、１５２の間にＬＥＤユニット１７１が固定される。
【００７６】
中央レンズ部材１７８は、透光性樹脂を素材とし、外部に露出する前面部１７８ａなど一部又は全部が色付きの成型部材からなる。中央レンズ部材１７８の裏面は凹部１７８ｂとなっており、前面部１７８ａの裏面に多数の凹凸を有する波状面１７８ｃが形成されている。中央レンズ部材１７８は、上下の側面に形成された段部１７８ｄが、外装成型部材１４１の中央ランプ部１４４の中開口１４７に嵌合して固定され、上述したＬＥＤユニット１７１の仕切部１７２ａ及びＬＥＤチップ１７５、１７６、１７７を含む前方部分が、中央レンズ部材１７８の凹部１７８ｂの中に挿入される。
【００７７】
中央レンズ部材１７８の両側面に形成された段部１７８ｄが、中央ランプ部１４４の上下の両壁部に嵌合することで、外装成型部材１４１の上下の凹領域に平坦な壁面が形成される。そして、放音板１５５、１５６を間接的に照明する発光部が、中央レンズ部材１７８に形成される。
【００７８】
すなわち、中央レンズ部材１７８内に挿入された上側のＬＥＤチップ１７５から上方向へ放射される光は、中央レンズ部材１７８の上側の段部１７８ｄを通過し、これにより演出された光によって、上開口１４５の内向壁１４２ｃと放音板１５５とが間接的に照明される。また、下側のＬＥＤチップ１７６から下方向へ放射される光は、中央レンズ部材１７８の上側の段部１７８ｄを通過し、下開口１４６の内向壁１４３ｃと放音板１５６とが間接的に照明される。更に、前方のＬＥＤチップ１７７から放射される光は、中央レンズ部材１７８の波状面１７８ｃで様々な方向に散乱され、更に所定の色に変換された散乱演出光が、前面部１７８ａを通して前方に視認可能に放射されることとなる。
【００７９】
このような構成のサイドスピーカユニット１４０Ｌ、１４０Ｒによれば、スピーカ１５１、１５２による効果音が放音される部位を用いて発光演出表示を行えるようにしたので、音と光による相乗的な演出効果等を十分発揮することができる。
【００８０】
＜キャビネットの構造＞
図１５は、フロントドア２１を取り外した状態で、開口側から見たキャビネット８０の内部を示す正面図である。キャビネット８０内には、左右の側板８０ｒ、８０ｌの中段部分には、リールフレーム８１が水平に架け渡されて設けられており、そのリールフレーム８１上に、リール装置４０が設けられている。リール装置４０は、それぞれの回転軸が同軸線上にある３個のリール４０Ｌ、４０Ｃ、４０Ｒを並設して備え、リール４０Ｌ、４０Ｃ、４０Ｒの各外周正面が、中パネル部材５０３列の表示窓５０Ｌ、５０Ｃ、５０Ｒにそれぞれ対向する位置に配置されている。各リール４０Ｌ、４０Ｃ、４０Ｒは、リール装置４０に固定されるステッピングモータによって、それぞれ独立して回転駆動される。
【００８１】
各リール４０Ｌ、４０Ｃ、４０Ｒの外周面には、その周方向に等間隔に例えば合計２１コマの図柄を印刷したリールテープが巻回されて貼り付けられている。１つのリールにおいて配列される図柄には、リールが回転する方向に沿って１ずつ増加する「０」〜「２０」の図柄番号が割り当てられる。遊技者がスロットマシン１０にメダルを賭けた後、レバースイッチ（スタートレバー）３２を操作すると、全てのリール４０Ｌ、４０Ｃ、４０Ｒが、表示窓５０Ｌ、５０Ｃ、５０Ｒを通して図柄が上から下へ移動する方向（言い換えると、図柄番号が増える方向）に、一斉に回転を開始する。
【００８２】
キャビネット８０の背板８０ｂ上部には、メイン制御ユニット８４が、ブラケット部材８５にロックされた状態で固定されている。メイン制御ユニット８４は、透明な硬質樹脂ケース内に、スロットマシン１０の遊技動作を制御するメイン制御基板を収容している。
【００８３】
キャビネット８０の底板８０ｆには、スロットマシン１０に搭載される種々の機器・装置に電源を供給する電源装置８６と、相当数枚のメダルを貯留可能なホッパーを備えるメダル払出装置８２とが設置されている。
【００８４】
［第２の実施形態］
次に、本発明に係るスロットマシンの第２の実施形態を説明する。以下、第２の実施形態の説明のために参照する図面において、第１の実施形態と同一の構成要素については同一の符号が付されている。また、第１の実施形態と共通する構成部分は、上述した第１の実施形態の説明を参照するものとして、ここでの説明は省略する。
【００８５】
＜フロントドアの構造＞
図１６は、本発明の第２の実施形態によるスロットマシン１１のフロントドア２３１の前面に形成されるフロントマスク２３０の態様を示す正面図である。フロントマスク２３０は、遊技者の視覚に訴える演出的な装飾が施された上パネル部２１１、中パネル部２１２及び下パネル部２１３とから概ね構成される。なお、上パネル部２１１、中パネル部２１２及び下パネル部２１３は、それぞれ１つのパネル部材からなるものではなく、複数の成型部材からなるものでもよい。フロントドア２３１は、前方に開口を有する略矩形状の筐体であるキャビネット８０（図１５参照）に対して開閉可能に軸支され、キャビネットの開口を閉塞する位置でロックされている。
【００８６】
フロントドア２３１の前面上部に取り付けられる上パネル部２１１は、第１ランプ２２１、第２ランプ２２２、第３ランプ２２３及び第４ランプ２２４など、例えば星形に装飾された複数の発光部を有する樹脂成型体により一体形成される。また、上パネル部２１１の中央には、背後に設けられるカラー液晶表示装置による画像を表示するための、画像表示窓部２２０が形成されている。
【００８７】
中パネル部２１２は、硬質アクリル等の透明樹脂板からなる中パネル部材４４２を備えている。中パネル部材４４２の略中央には、３列の縦長矩形の透明部からなる表示窓４４２Ｌ、４４２Ｃ、４４２Ｒが形成される。これらの表示窓４４２Ｌ、４４２Ｃ、４４２Ｒを通して、キャビネット８０内部のリール４０Ｌ、４０Ｃ、４０Ｒのそれぞれ横３列×縦３個の合計９コマの図柄が視認可能とされている。
【００８８】
操作卓であるコントロールパネル部２５０は、下パネル部２１３の上部に構成されており、前面に向けて若干傾斜する卓状面をなすテーブルプレート２５１を有している。このテーブルプレート２５１の左部には、１−ベットスイッチ２３３と、マックスベットスイッチ２３４と、清算スイッチ２３５とを備えるベットスイッチユニット２３６が設けられている。
【００８９】
また、コントロールパネル部２５０のテーブルプレート２５１の右部には、遊技者がスロットマシン１１に直接メダルを投入する投入口ユニット２３７が設けられている。また、テーブルプレート２５１の中央部分には、十字キー２３８や、本発明の特徴的な演出ボタンスイッチ４１０などの演出制御に係る各種操作スイッチ類が配置されている。なお、演出ボタンスイッチ４１０は、後述するように内部に発光部を備えており、この演出ボタンスイッチ４１０の発光部がフロントマスク２３０の第５ランプ２２５となっている。
【００９０】
コントロールパネル部２５０の正面左部には、傾倒操作が可能なレバースイッチ３１１と、発光演出部とを備えるスタートレバーユニット３１０が設けられている。スロットマシン１１に規定枚数のメダルが賭けられた状態でレバースイッチ３１１が傾倒操作されると、全てのリール４０Ｌ、４０Ｃ、４０Ｒが一斉に回転を開始する。このスタートレバーユニット３１０の詳細な構造については後述する。
【００９１】
コントロールパネル部２５０の正面の中央部には、リール４０Ｌ、４０Ｃ、４０Ｒの回転を停止させる停止操作をするための、３つのストップスイッチ２４０Ｌ、２４０Ｃ、２４０Ｒを有するストップスイッチユニット２４０が設けられる。左端のストップスイッチ２４０Ｌは左リール４０Ｌに対応し、中央のストップスイッチ２４０Ｃは中リール４０Ｃに対応し、右端のストップスイッチ２４０Ｒは右リール４０Ｒに対応している。スロットマシン１１は、レバースイッチ３１１の傾倒操作により回転したリール４０Ｌ、４０Ｃ、４０Ｒに対し、左のストップスイッチ２４０Ｌが操作されると左リール４０Ｌが停止し、中央のストップスイッチ２４０Ｃが操作されると中リール４０Ｃが停止し、右のストップスイッチ２４０Ｒが操作されると右リール４０Ｒが停止するように構成されている。
【００９２】
また、コントロールパネル部２５０の正面右部には、メダルセレクタ５７（図２４、２５参照）の内部に滞留したメダルなどを排除して、メダル払出口２１５から回収するリジェクトボタン２３９が設けられている。
【００９３】
下パネル部２１３の右部には、上述した演出ボタンボタンスイッチ４１０の発光部（第５ランプ２２５）に間隔をおいて配列される発光部である第６ランプ２２６と第７ランプ２２７とが設けられている。すなわち、本実施形態のスロットマシン１１のフロントマスク２３０には、第１〜第７ランプ２２１〜２２７が、例えば北斗七星の７つ星を模した態様で配列して形成されている。
【００９４】
また、下パネル部２１３の中央には、スロットマシン１１のテーマを印象付けるキャラクタなどが描かれ、後述する下パネル凹部２１９（図２４参照）の内部に照明部を有する下部パネル２１４が設けられている。
【００９５】
フロントマスク２３０の最下部には、メダル払出口２１５と、背後に設置されるスピーカ６２Ｌ、６２Ｒ（図２４参照）からの出力音を通す多数の孔からなる放音部２１７Ｌ、２１７Ｒとが形成されている。また、メダル払出口２１５から払い出されたメダルを受ける受皿部材２１６が、フロントドア２３１の下部領域に取り付けられている。
【００９６】
図１７は、フロントドア２３１の主にコントロールパネル部２５０の組立構造を説明するための分解斜視図である。上述したベットスイッチユニット２３６、十字キー２３８、演出ボタンスイッチ４１０及び投入口ユニット２３７は、テーブルプレート２５１の所定位置に形成された開口２５１ａ、２５１ｂ、２５１ｃ及び切欠き２５１ｄに挿入され、かつ、テーブルプレート２５１が設置される下パネル部２１３のベースプレート部２５２の対応する開口２５２ａ、２５２ｂ、２５２ｃ及び切欠き２５２ｄに挿入されて取り付けられる。また、本実施形態では、スタートレバーユニット３１０が、コントロールパネル部２５０の左部に形成された取付凹部２５５に、前方から挿入して取り付けられる。
【００９７】
（スタートレバーユニット）
ここで、同じく図１７を参照して、スタートレバーユニット３１０の構造を説明する。本実施形態によるスタートレバーユニット３１０は、遊技開始操作に関連する操作を行う操作スイッチであるレバースイッチ３１１と、その周囲に発光演出部とを備えている。発光演出部は、ＬＥＤ基板３１２と、インナーレンズ部材３１３と、アウターレンズ部材３１４と、透明カバー部材３１５とを備えて構成される。
【００９８】
レバースイッチ３１１は、円筒状のスイッチ本体３１１ｂに、球形の操作ノブ３１１ａを有する操作レバーが傾倒操作可能に設けられている。スイッチ本体３１１ｂの外周にはフランジ部３１１ｃが設けられている。
【００９９】
発光素子基板であるＬＥＤ基板３１２は、操作ノブ３１１ａ及びフランジ部３１１ｃよりも前方のスイッチ本体３１１ｂの一部が挿通可能な開口３１２ａを有する回路基板である。ＬＥＤ基板３１２の前面には、開口３１２ａを囲むように複数のＬＥＤチップ３１７、３１７、・・・が実装されている。複数のＬＥＤチップ３１７、３１７、・・・は、単色のＬＥＤ素子からなるもの、又は、三原色を組み合わせた白色若しくはフルカラーを出力可能な複数のＬＥＤ素子からなるものの何れでもよい。
【０１００】
インナーレンズ部材３１３は、ＬＥＤ基板３１２と略同形同寸法の板部材であり、ＬＥＤ基板３１２と同様に、レバースイッチ３１１の操作ノブ３１１ａ及びスイッチ本体３１１ｂの前方部分が挿通可能な円形の開口３１３ａが形成されている。また、円形の開口３１３ａの周囲に、アウターレンズ部材３１４の外形に適合する例えば星形放射状のレンズ嵌合孔３１３ｂが形成されている。
【０１０１】
アウターレンズ部材３１４は、その外形が例えば星形放射状に形成されており、同じくその中央に、レバースイッチ３１１の操作ノブ３１１ａ及びスイッチ本体３１１ｂの前方部分が挿通可能な円形の開口３１４ａが形成されている。
【０１０２】
透明カバー部材３１５は、透明又は色付きの透光性樹脂からなり、その中央にレバースイッチ３１１の操作ノブ３１１ａを露出させる円形の開口３１５ａが形成されている。また、外装成型部材３１６は、フロントマスク２３０のサイドで中パネル部２１２から上パネル部２１１にかけて大きく切り込まれた取付凹部２５５に適合した外形形状を有し、その前面には、演出的な視覚効果を高めた模様などが一体的に施されている。そして、外装成型部材３１６の略中央に、透明カバー部材３１５が嵌合し、レバースイッチ３１１の操作ノブ３１１ａを露出させるための略Ｕ字状に湾入する開放部３１６ａが形成されている。
【０１０３】
フロントマスク２３０のサイドの取付凹部２５５は、コントロールパネル部２５０の前面よりも一定程度窪んだ奥面を有し、その奥面にレバースイッチ収容孔２５５ａが形成されている。レバースイッチ３１１は、スイッチ本体３１１ｂの後部を前方からこのレバースイッチ収容孔２５５ａに挿入した後、取付凹部２５５の奥面とフランジ部３１１ｃとを当接させた位置で表からネジ止め固定される。
【０１０４】
そして、ＬＥＤ基板３１２、インナーレンズ部材３１３、アウターレンズ部材３１４、透明カバー部材３１５をこの順で、各開口３１２ａ、３１３ａ、３１４ａ、３１５ａにレバースイッチ３１１の操作ノブ３１１ａ及びスイッチ本体３１１ｂの前方部分を挿通させ、最後に外装成型部材３１６が、その開放部３１６ａの縁部に透明カバー部材３１５の外周部を嵌合させて、取付凹部２５５を塞ぐ位置に固定される。
【０１０５】
かかる構成のスタートレバーユニット３１０においては、リールの回転開始の操作を行うレバースイッチ３１１の周囲の広い領域に、ＬＥＤチップ３１７、３１７、・・・を搭載するＬＥＤ基板３１２、インナーレンズ部材３１３、アウターレンズ部材３１４及び透明カバー部材３１５を備えてなる発光演出部が形成されている。ＬＥＤチップ３１７から前方に照射される光は、インナーレンズ部材３１３及びアウターレンズ部材３１４で様々な方向に屈折、散乱し、それによる演出光が、透明カバー部材３１５を透して視認可能に放射されることとなる。したがって、広い領域の発光演出部を活用して、多様でインパクトのある発光演出を効果的に行うことができる。
【０１０６】
また、スタートレバーユニット３１０は、取付凹部２５５に前方から挿入され、取付凹部２５５の奥面とスイッチ本体のフランジ部３１１ｃとが当接する位置で表からネジ止め固定されている。スタートレバーユニット３１０を表からネジ止めするボス部は、取付凹部２５５よりも更に後方に突出して形成されている。このような取り付け構造を採用することにより、取付凹部２５５中にＬＥＤ基板３１２やインナーレンズ部材３１３、アウターレンズ部材３１４等を配置するためのスペースが大きくなり、レンズカット等の構造の設計自由度が高まる。
【０１０７】
（演出ボタンスイッチ）
次に、コントロールパネル部２５０のテーブルプレート２５１略中央に設けられる演出スイッチである演出ボタンスイッチ４１０を説明する。ここで、図１８は、演出ボタンスイッチ４１０の斜視図である。図１９（ａ）は、図１８における演出ボタンスイッチ４１０の矢視Ａ側面図、図１９（ｂ）は、図１８における演出ボタンスイッチ４１０の矢視Ｂ側面図である。更に、図２０は、演出ボタンスイッチ４１０の押圧操作部４１１を正面から見た図である。
【０１０８】
これらの図に示されるように、演出ボタンスイッチ４１０は、斜め前上方に中心軸を有する円形ドーム状の押圧面部４１１ａを有する押圧操作部４１１と、後述するスイッチ部及び発光部を内部に収容するスイッチ本体４１２と、ソレノイド４３１を備える振動発生部とを有して構成される。
【０１０９】
ここで、図２１の分解斜視図、及び、図２２の縦断面図を参照して、演出スイッチの１つである演出ボタンスイッチ４１０の構造を詳細に説明する。押圧操作部４１１は、円形ドーム状の押圧面部４１１ａを有し、透光性を有する樹脂で形成される。また、押圧操作部４１１は、光拡散性を有するフィラーなどが添付された半透明の樹脂からなるものでもよい。押圧操作部４１１の周縁に配置される装飾枠部材４１４は、円形の開口４１４ａを有して外形が例えば星形に形成されている。装飾枠部材４１４の開口４１４ａは、前方に若干傾く面上に形成される。つまり、装飾枠部材４１４の縁部の高さは、後端側が最も高く、前端側にかけて次第に低くなるように形成されている。押圧操作部４１１は、装飾枠部材４１４の円形の開口４１４ａを塞ぐ通常位置と、開口４１４ａから若干下方に押圧された押圧操作位置（「押打位置」ということもある。）に移動可能に設けられる。
【０１１０】
押圧操作部４１１の下方には、内カバー部材４１５が配置される。内カバー部材４１５は、押圧操作部４１１の内側面に適合するように、押圧面部４１１ａと概ね同一曲率の円形ドーム状を有し、押圧面部４１１ａよりも若干小さな直径を有している。内カバー部材４１５は透明又は光拡散性を有する半透明な樹脂から形成される。
【０１１１】
また、内カバー部材４１５の裏面には、「ＰＵＳＨ」、「チャンス」、「Ｖ」など、遊技者に特定の遊技情状態や演出状態を報知する文字や装飾図柄が特殊な塗料でマーキングされている。内カバー部材４１５の裏面にマーキングされたものでなくても、例えば多層構造の内カバー部材４１５の層に、このような文字や図柄をマーキングしてもよい。「特殊な塗料」とは、例えば可視光では透明であり、後述するＵＶ−ＬＥＤチップ４２１Ａを光源とする近紫外線（ブラックライト）など特定の波長領域の光を受けている間、励起状態となり可視光を発生する「蛍光塗料」であることが好ましい。また、特殊な塗料は、光源からの特定の光を受けて励起状態になった後、光源の発光が停止しても、暫くの間、励起状態が継続する「畜光性塗料」であってもよい。
【０１１２】
内カバー部材４１２の下方には、透明な２つのレンズ部材４１６、４１７が、互いに重なる態様で配置される。上方側に配置される第１のレンズ部材４１６は、内カバー部材４１５に収容可能な直径を有する円板部４１６ａと、円板部４１６ａの中心を最も高い頂点とし、その外周縁に向けて放射状に低くなる放射状部４１６ｂ、４１６ｂ、・・・を有している。放射状部４１６ｂ、４１６ｂ、・・・は、円板部４１６ａの上面に形成され、円板部４１６ａの下面側は、放射状部４１６ｂ、４１６ｂ、・・・に倣うように放射状に窪んだ空洞部となっている。円板部４１６ａの外周の位置端部には、下方に突出する係合部４１６ｃが一体形成されている。
【０１１３】
下方側に配置される第２のレンズ部材４１７は、第１のレンズ部材４１６と同径の円板部４１７ａと、円板部４１７ａの中心を最も高い頂点とし、その外周縁に向けて放射状に低くなる放射状部４１７ｂ、４１７ｂ、・・・を有している。ただし、円板部４１７ａの前方部は、中心角が約４５度の扇状の開口４１７ｃが形成され、上記放射状部は形成されていない。また、第１のレンズ部材４１６と同様に、円板部４１７ａの下面側は、放射状部４１７ｂ、４１７ｂ、・・・に倣う形態の窪んだ空洞部となっている。
【０１１４】
スイッチ本体４１２は、円筒ケース部材４１８と、矩形ケース部材４２８とを備えている。円筒ケース部材４１８には、可動盤部材４１９と、ＬＥＤ基板４２０と、コイルバネ４２２とが収容され、矩形ケース部材４２８には、光スイッチ４３０が収容される。また、矩形ケース部材４２８の下方部には、支持板金部材４３３を介して振動発生部であるソレノイド４３１が設けられている。
【０１１５】
円筒ケース部材４１８は、押圧操作部４１１と略同径の底部を有する円筒状の部材であり、例えば硬質の樹脂により一体形成される。ケース部材４１８の底部中央には、ケース部材４１８の底部を貫通するガイド孔４１８ｂを有するガイド筒部４１８ａが立設されている。また、ケース部材４１８の底部には、ガイド筒部４１８ａの周囲に沿って、コイルバネ４２２を受けるためのバネ受溝４１８ｃが形成されている。
【０１１６】
また、円筒ケース部材４１８の底部には、可動盤部材４１９の係合突起部４１９ａと係合する係合孔４１８ｄ、可動盤部材４１９の遮光板４１９ｅ（図２２参照）を挿脱させるセンサ孔４１８ｅなどの孔が貫通して形成されている。また、円筒ケース部材４１８の底部には、可動盤部材４１９を移動可能に貫通し、ＬＥＤ基板４２０を固定するスペーサ部４１８ｆ、４１８ｆが適宜の位置に立設されている。また、円筒ケース部材４１８の筒部上端には、径方に向けて張り出す取付部４１８ｇ、４１８ｈが形成されている。
【０１１７】
可動盤部材４１９は、有底円筒状を有しており、その外筒部分の高さは、後端側が最も高く、前端側にかけて次第に低くなるように形成されている。そして、その外筒部分の端部から下方に延びて、先端に係合爪を有する係合突起部４１９ａが一体形成されている。可動盤部材４１９の底部には、円筒ケース部材４１８の底部から立設されたスペーサ部４１８ｆを移動可能に貫通させるスペーサ孔４１９ｆや、ＬＥＤ基板４２０へ電源配線や信号配線（場合によってはコネクタ）を通す配線孔４１９ｇが形成されている。
【０１１８】
可動盤部材４１９の底部中央位置には、円台状で肉厚の被加振部４１９ｂが形成される。図２２に示すように、被加振部４１９ｂの下側は、円柱状のロッド部４１９ｃが形成されており、更にロッド部４１９ｃの下面から一定の深さ穿孔された凹部４１９ｄが形成されている。また、可動盤部材４１９の外筒部分の後端側には、下方に向けて突出する遮光板４１９ｅが形成されている。
【０１１９】
円筒ケース部材４１８のガイド筒部４１８ａがコイルバネ４２２の中に入るようにして、コイルバネ４２２の一端をバネ受溝４１８ｃに設置する。そして、可動盤部材４１９のロッド部４１９ｃを、円筒ケース部材４１８のガイド筒部４１８ａのガイド孔４１８ｂに挿入し、可動盤部材４１９の外筒部分の端部から下方に延びる係合突起部４１９ａを、円筒ケース部材４１８の係合孔４１８ｄに係合させる。これにより、可動盤部材４１９が、コイルバネ４２２により上方、つまり押圧方向とは逆向きに常に付勢されるとともに、係合突起部４１９ａが係合孔４１８ｄに係合していることにより抜け止めされる。
【０１２０】
次に、ＬＥＤ基板４２０は、中央に可動盤部材４１９の被加振部４１９ｂを挿通させる開口４２０ａが形成された概ね円板ドーナツ状の回路基板である。ＬＥＤ基板４２０の上面には、開口４２０ａの周囲に沿って複数のＬＥＤチップ４２１、４２１、・・・が実装されている。ＬＥＤチップ４２１は、単色のＬＥＤ素子からなるもの、又は、三原色を組み合わせた白色若しくはフルカラーを出力可能な複数のＬＥＤ素子からなるものの何れでもよい。また、ＬＥＤ基板４２０には、近紫外線領域の波長成分を含むＵＶ−ＬＥＤチップ４２１Ａが搭載されている。
【０１２１】
ＬＥＤ基板４２０は、可動盤部材４１９の底部に対向して配置され、可動盤部材４１９のスペーサ孔４１９ｆを貫通する、円筒ケース部材４１８のスペーサ部４１８ｆのボスに螺入されるネジにより、円筒ケース部材４１８と一体に固定される。
【０１２２】
ＬＥＤ基板４２０を可動盤部材４１９の筒部内に収容した後、第２のレンズ部材４１７を介して第１のレンズ部材４１６が、その端部の係合部４１６ｃを可動盤部材４１９の外周に設けた爪部４１９ｈに係合させる。また、第１のレンズ部材４１６の上面を被せるように、内カバー部材４１５、押圧操作部４１１の順で、これらの部材が可動盤部材４１９の傾斜する外筒部分に係止される。そして、装飾枠部材４１４の開口４１４ａと押圧操作部４１１との位置を合わせ、円筒ケース部材４１８の取付部４１８ｇに挿入したネジを装飾枠部材４１４の裏面に螺入させて、円筒ケース部材４１８に装飾枠部材４１４が固定される。
【０１２３】
一方、矩形ケース部材４２８の中には光スイッチ４３０がネジ止めされ、矩形ケース部材４２８の開放する上部を塞ぐように、円筒ケース部材４１８がネジ止めされる。このとき、光スイッチ４３０が、円筒ケース部材４１８のセンサ孔４１８ｅに対応する位置に位置決めされる。
【０１２４】
ソレノイド４３１は、外部から供給される交番駆動電流に従ってプランジャ４３２を直動方向に振動させる振動発生部を構成する。ソレノイド４３１は、矩形ケース部材４２８の下方部において、略Ｌ字のアングルを組み合わせた支持板金部材４３３にプランジャ４３２の端部が当たる位置に固定されている。すなわち、支持板金部材４３３は、ソレノイド４３１が発生する振動や打撃の反力板としても機能する。
【０１２５】
このような構成の演出ボタンスイッチ４１０は、押圧操作部４１１が、可動盤部材４１９に連結するコイルバネ４２２により、常時前方に付勢されている。この通常位置では、可動盤部材４１９の遮光板４１９ｅが、光スイッチ４３０の透過光を遮断せず、光スイッチ４３０が出力する押圧操作信号はオフとなっている。
【０１２６】
押圧操作部４１１が、コイルバネ４２２の付勢力に抗して押圧操作されると、これに連動して可動盤部材４１９が下方に移動する。押圧操作部４１１が所定の押圧操作位置（押打位置）に達すると、可動盤部材４１９の下面と円筒ケース部材４１８の底面とが当接し、これ以上の移動（押圧操作）が規制される。このとき、可動盤部材４１９の遮光板４１９ｅが光スイッチ４３０の透過光を遮断し、これにより光スイッチ４３０からオンの押圧操作信号が出力される。
【０１２７】
また、この押圧操作位置では、可動盤部材４１９が下がり、ソレノイド４３１のプランジャ４３２の先端が、可動盤部材４１９のロッド部４１９ｃに形成された凹部４１９ｄの上面に当接可能となる。つまり、この押圧操作された状態では、外部からの交番駆動電流に従って励磁したソレノイド４３１のプランジャ４３２で、可動盤部材４１９に直接的に振動を伝達したり、又は段発的に衝撃を加えたりすることが可能となる。
【０１２８】
また、演出ボタンスイッチ４１０によれば、発光部であるＬＥＤチップ４２１を発光させることで、第１及び第２のレンズ部材４１６、４１７を透して光が多方向に拡散される。そして、図２０に示すように、透明又は半透明の内カバー部材４１５、押圧操作部４１１を透して、そのような興趣性の高い演出光に変換したＬＥＤ光を、遊技者などに視認可能に表示することができる。
【０１２９】
演出ボタンスイッチ４１０の内カバー部材４１５には、上述したように、「ＰＵＳＨ」、「チャンス」、「Ｖ」などの文字や装飾図柄が特殊な塗料でマーキングされている。ただし、この塗料は、可視光下では透明なため、ＬＥＤチップ４２１、ＵＶ−ＬＥＤチップ４２１Ａの消灯時や、又はＬＥＤチップ４２１を光源とする演出ボタンスイッチ４１０の発光演出時には、これらの文字や装飾図柄は、遊技者に視認されない。
【０１３０】
しかし、ＵＶ−ＬＥＤチップ４２１Ａが発光し、近紫外線など特定の波長領域の光を内カバー部材４１５が受けると、上述した特殊塗料が励起状態となり可視光を発生する。そのときには、例えば図２３に示すような「ＰＵＳＨ」などの文字が、透明な押圧操作部４１１を透して突然浮き出るように視認可能となる。これにより、演出ボタンスイッチ４１０によれば、遊技者に意外性を与えるような視覚的な報知演出効果を奏することができる。
【０１３１】
また、演出ボタンスイッチ４１０は、フロントマスク２３０の第５ランプ２２５として発光演出機能を兼ねており、例えば「ＰＵＳＨ」などの文字を表示することで、演出制御操作の操作部位であることを遊技者に明示することができる。更に、ＬＥＤチップ４２１及びＵＶ−ＬＥＤチップ４２１Ａの駆動をそれぞれ制御することで、押圧操作部４１１を単に光らせる発光演出と、「ＰＵＳＨ」などの文字や絵柄を表示する特殊発光演出とを同時に又は個別に行うことができる。したがって、ボタン操作が有効な演出であるのか、単なる発光演出であるのかを、遊技者が誤認することなく判断することができる。
【０１３２】
このような構成の演出ボタンスイッチ４１０によれば、報知演出を含む興趣性の高い演出光を表示する発光部や、振動や衝撃を発生させる振動発生部など、遊技者の視覚や体性感覚に訴える機能性が付加されており、これにより遊技の感動をタイムリーに遊技者に体感させることができる。したがって、遊技者に遊技演出を強く印象付けることができる。
【０１３３】
（フロントドアの背面構造）
次に、フロントドア２３１の背面構造を説明する。図２４は、キャビネット８０から取り外した状態で、フロントドア２３１を前方から見た分解斜視図である。図２５は、図２４のフロントドア２３１を後方から見た斜視図である。フロントドア２３１の背面側上部には、サブ制御ユニット９１が、ブラケット部材９２にロックされた状態で固定されている。サブ制御ユニット９１は、透明な硬質樹脂ケース内に、スロットマシン１１の演出動作を制御するサブ制御基板を収容している。
【０１３４】
サブ制御ユニット９１の下方には、リール４０Ｌ、４０Ｃ、４０Ｒ（図１５参照）の図柄を視認可能に表示する表示窓４４２ａ、４４２ｂ、４４２ｃを有するリールパネルユニット４４０が、ドアフレーム２３２の後方から取り付けられている。リールパネルユニット４４０の下方には、中継基板ケース２４３が取り付けられている。中継基板ケース２４３には、スイッチ収容部２４３ａ、２４３ｂを有しており、上述したレバースイッチ３１１がスイッチ収容部２４３ａに収容され、上述したベットスイッチユニット２３６及び演出ボタンスイッチ４１０などがスイッチ収容部２４３ｂに収容される。
【０１３５】
フロントマスク２３０（図１６参照）側に設けられている第６ランプ２２６の後方位置には、セレクタブラケットベース２４４が取り付けられる。このセレクタブラケットベース２４４は、透明な樹脂材を一体成型した部材であり、垂直板部２４４ａ及び水平板部２４４ｂを含めてなるセレクタ収容部２４４ｃと、水平板部２４４ｂに連なって下がり、垂直板部２４４ａよりも後方の面位置にある垂直な壁面を有するシュート壁面部２４４ｄとを備えている。
【０１３６】
セレクタブラケット２４５は、メダルセレクタ５７を収容し、上述の投入口ユニット２３７のスリット（メダル投入口）とメダルセレクタ５７との位置を合わせるための板金取付手段である。セレクタブラケット２４５には、メダルセレクタ５７により正規のメダルとして投入を受け付けたメダルを、メダル払出装置８２（図１５参照）のホッパーに導くためのメダル案内流路２４５ａが取り付けられている。
【０１３７】
「シュート部材」であるキャンセルシュート成型体２４７は、前方側が開放する樹脂成型部材からなり、上部にメダル受口２４７ａを有する返却流路部２４７ｂと、メダル払出装置８２のメダル放出口に接続する開口２４７ｃを有する払出流路部２４７ｄと、返却流路部２４７ｂ及び払出流路部２４７ｄが連結する合流部２４７ｅとを備えている。
【０１３８】
フロントマスク２３０の下部パネル２１４（図１６参照）に相当する個所には、当該下部パネル２１４の背面を照明する、図示しない照明部を収容する下パネル凹部２１９が設けられている。キャンセルシュート成型体２４７の返却流路部２４７ｂ及び合流部２４７ｅの一部が、この下パネル凹部２１９の背面２１９ａに対向して設けられ、メダル受口２４７ａが形成された側の部分が、セレクタブラケットベース２４４のシュート壁面部２４４ｄに対向する。すなわち、セレクタブラケットベース２４４の垂直なシュート壁面部２４４ｄと、下パネル凹部２１９の背面２１９ａとを対向壁面として、キャンセルシュート成型体２４７の中に、メダルセレクタ５７により排除されたキャンセルメダルを合流部２４７ｅに導く返却流路が形成されている。
【０１３９】
また、キャンセルシュート成型体２４７の合流部２４７ｅの一部と払出流路部２４７ｄの一部とが、下パネル凹部２１９の下端とメダル払出口２１５の上端との間で架け渡して設けられる対向壁部材２４８に対向する。これにより、メダル払出装置８２からの払い出しメダルを流す払出流路と、メダルセレクタ５７からのキャンセルメダルを流す返却通路が合流しメダル払出口２１５に導くメダル排出流路が形成されている。
【０１４０】
ドアフレーム２３２の下方部には、左右２つのスピーカ６２Ｌ、６２Ｒが、スピーカブラケット６２１Ｌ、６２１Ｒを用いて後方より取り付けられる。
【０１４１】
このようなフロントドア２３１の背面構造によれば、ドアフレームの下部を塞ぐとともに、メダルセレクタ等のユニットの保持や、キャンセルシュートの対向面としての機能を有していた従来用いられていた取付板（例えば上述の第１の実施形態における裏ベース板５８）を必要としないため、スロットマシン１１の製造コストの低減を図ることができる。また、フロントドア２３１背面の取付板（裏ベース板）を無くしたことにより、フロントドア２３１の下部に広いスペースが確保できる。これにより、例えば上述した発光演出機能を有する演出ボタンスイッチ４１０や、発光演出表示を行う第６ランプ２２６や第７ランプ２２７などの演出装置を、そのサイズや形状にあまり制限を受けずに下パネル部２１３に設けることができる。また、フロントマスク２３０のデザイン設計における自由度を高く保つことができるので、例えば共鳴管を備える大型のスピーカを下パネル部２１３に設置するようなデザインも許容される。
【０１４２】
（リールパネルユニット）
次に、リールパネルユニットの構造を説明する。図２６は、本実施形態によるリールパネルユニット４４０の構造を示す分解斜視図である。リールパネルユニット４４０は、フロントドア２３１のドアフレーム２３２に取り付けられるエスカッション部材４４１と、エスカッション部材４４１の前方に配置される中パネル部材４４２と、中パネル部材４４２の背面側から窓枠装飾部分４４３を照明する発光部４４４とを備えて構成される。
【０１４３】
中パネル部材４４２は、前面に装飾が施された樹脂板部材からなり、複数の図柄が付されたリール４０Ｌ、４０Ｃ、４０Ｒ（図１５参照）の各外周面に対向する３箇所に、表示窓４４２Ｌ、４４２Ｃ、４４２Ｒが形成されている。
【０１４４】
エスカッション部材４４１は、硬質樹脂を一体成型した部材であり、中パネル部材４４２と同様に、リール４０Ｌ、４０Ｃ、４０Ｒの各外周面に対向する開口部４４１Ｌ、４４１Ｃ、４４１Ｒが形成されている。中パネル部材４４２がエスカッション部材４４１の前方から取り付けられた状態では、表示窓４４２Ｌ、４４２Ｃ、４４２Ｒと開口部４４１Ｌ、４４１Ｃ、４４１Ｒとが、前後に重なるように位置が一致する。
【０１４５】
また、エスカッション部材４４１には、互いに隣接する開口部４４１Ｃ、４４１Ｒの間の窓枠部分に基板収容部４４５が形成されている。そして、その基板収容部４４５の中に、トップビュータイプのＬＥＤチップ４４７、４４７が複数実装された、縦長のＬＥＤ基板４４６が収容される。更に、ＬＥＤ基板４４６の前面を覆うように、縦長の填塞部材４４８が配置される。
【０１４６】
填塞部材４４８は、スポンジ又はエラストマーなどの弾性材からなり、ＬＥＤ基板４４６のＬＥＤチップ４４７、４４７に対応する位置に導光孔４４８ａ、４４８ａを有している。また、填塞部材４４８には、ネジ４４９の位置を調整可能な切欠溝４４８ｂが形成されている。ここで、エスカッション部材４４１の基板収容部４４５深さＤよりも、ＬＥＤ基板４４６の厚みＴｓに填塞部材４４８の厚みＴｃを加えた高さの方が若干高くなるように（つまりＤ＜Ｔｓ＋Ｔｃ）、填塞部材４４８の厚みＴｃが定められている。
【０１４７】
上述の発光部４４４は、ＬＥＤチップ４４７、４４７が実装されたＬＥＤ基板４４６と填塞部材４４８とを備えて構成される。ＬＥＤ基板４４６をエスカッション部材４４１の基板収容部４４５に挿入した後、填塞部材４４８の導光孔４４８ａ、４４８ａとＬＥＤチップ４４７、４４７を位置合わせし、切欠溝４４８ｂを介してネジ４４９を螺入することで、填塞部材４４８及びＬＥＤ基板４４６がエスカッション部材４４１の基板収容部４４５に固定される。なお、エスカッション部材４４１の開口部４４１Ｌ、４４１Ｃの間にも基板収容部を形成し、ＬＥＤ基板と填塞部材とを含んでなる発光部を装着してもよい。
【０１４８】
エスカッション部材４４１の前面側に、中パネル部材４４２が取り付けられた状態では、中パネル部材４４２の窓枠装飾部分４４３の背面に填塞部材４４８の前面が密着して当接する。エスカッション部材４４１の窓枠に設けられたＬＥＤチップ４４７、４４７を駆動すると、ＬＥＤチップ４４７、４４７から放射された光が、填塞部材４４８の導光孔４４８ａ、４４８ａを通り、中パネル部材４４２の窓枠装飾部分４４３を背面側から照明する。これにより、中パネル部材４４２の窓枠装飾部分４４３に光の点が連なるような演出表示を行うことができる。
【０１４９】
また、仮にエスカッション部材４４１の成型時に、許容範囲内の反りや歪みが生じたとしても、弾性を有する填塞部材４４８が中パネル部材４４２の背面に密着し、隙間が生じることもない。これにより、ＬＥＤチップ４４７、４４７からの光が確実に中パネル部材４４２の背面を照射し、リール４０Ｌ、４０Ｃ、４０Ｒ間の光漏れを防止することができ、遊技中のリールの視認性を良好に保つことができる。
【符号の説明】
【０１５０】
１０、１１  スロットマシン                  ２０  フロントマスク
２１  フロントドア                          ２２  ドアフレーム
２３  上パネル部                            ２４  中パネル部
２５  下パネル部                            ２６  コントロールパネル部
２７  １−ベットスイッチ                    ２８  マックスベットスイッチ
２９  投入口ユニット                        ３２  レバースイッチ
３３Ｌ、３３Ｃ、３３Ｒ  ストップスイッチ    ４０Ｌ、４０Ｃ、４０Ｒ  リール
５０  中パネル表示装置                      ５０Ｌ、５０Ｃ、５０Ｒ  表示窓
５１  下部パネル                        ５２  メダル払出口
５５  レバースイッチ収容部                  ５７  メダルセレクタ
６０  セレクタブラケット                    ６１  キャンセルシュート成型体
６１ａ  返却流路部                          ６１ｂ  払出流路部
８０  キャビネット                          ８２  メダル払出装置
１１０  演出ボタンスイッチ                  １１１  押圧操作部
１１２  内カバー部材                        １１４  レンズ部材
１１６  ＬＥＤ基板                          １１７  ＬＥＤチップ
１１８  可動盤部材                          １１８ｂ  被加振部
１１８ｆ  遮光板                            １１９  ベース部材
１１９ｂ  スペーサ部                        １２０  ソレノイドユニット
１２１  ソレノイド                          １２２  プランジャ
１３０  光センサ                            １３１  バネクッション
１４０Ｌ、１４０Ｒ  サイドスピーカユニット  １４１  外装成型部材
１４２、１４３  フレア部                    １４３ｄ  被嵌合段部
１４４  中央ランプ部                        １５１、１５２  スピーカ
１５５、１５６  放音板                      １５８  ＬＥＤ基板
１５９  ＬＥＤチップ                        １６１、１６２  導光部材
１７１  ＬＥＤユニット                      １７２  ＬＥＤ基板
１７５、１７６、１７７  ＬＥＤチップ        １７８  中央レンズ部材
１８６  リール補助照明部                    １８９  透過液晶
１９０Ｌ、１９０Ｃ、１９０Ｒ  液晶シャッタ  １９１  演出用液晶シャッタ
２１１  上パネル部                          ２１２  中パネル部
２１３  下パネル部                          ２１４  下部パネル
２１５  メダル払出口                        ２１９  下パネル凹部
２３０  フロントマスク                      ２３１  フロントドア
２３３  １−ベットスイッチ                  ２３４  マックスベットスイッチ
２４０Ｌ、２４０Ｃ、２４０Ｒ  ストップスイッチ
２４４  セレクタブラケットベース            ２４５  セレクタブラケット
２４７  キャンセルシュート成型体            ２４７ｂ  返却流路部
２４７ｄ  払出流路部                        ２４８  対向壁部材
２５０  コントロールパネル部                ２５５ａ  レバースイッチ収容孔
３１１  レバースイッチ                      ３１２  ＬＥＤ基板
３１３  インナーレンズ部材                  ３１４  アウターレンズ部材
３１５  透明カバー部材                      ３１６  外装成型部材
４１０  演出ボタンスイッチ                  ４１１  押圧操作部
４１２  スイッチ本体                        ４１３  振動発生部
４１４  装飾枠部材                          ４１５  内カバー部材
４１６  第１のレンズ部材                    ４１７  第２のレンズ部材
４１９  可動盤部材                          ４２０  ＬＥＤ基板
４２１  ＬＥＤチップ                        ４２１Ａ  ＵＶ−ＬＥＤチップ
４２２  コイルバネ                          ４３１  ソレノイド
４４０  リールパネルユニット                ４４１  エスカッション部材
４４２  中パネル部材                        ４４２Ｌ、４４２Ｃ、４４２Ｒ  表示窓
４４３  窓枠装飾部分                        ４４４  発光部
４４６  ＬＥＤ基板                          ４４８  填塞部材
【図１】
0006447211.tif 000002
【図２】
0006447211.tif 000003
【図３】
0006447211.tif 000004
【図４】
0006447211.tif 000005
【図５】
0006447211.tif 000006
【図６】
0006447211.tif 000007
【図７】
0006447211.tif 000008
【図８】
0006447211.tif 000009
【図９】
0006447211.tif 000010
【図１０】
0006447211.tif 000011
【図１１】
0006447211.tif 000012
【図１２】
0006447211.tif 000013
【図１３】
0006447211.tif 000014
【図１４】
0006447211.tif 000015
【図１５】
0006447211.tif 000016
【図１６】
0006447211.tif 000017
【図１７】
0006447211.tif 000018
【図１８】
0006447211.tif 000019
【図１９】
0006447211.tif 000020
【図２０】
0006447211.tif 000021
【図２１】
0006447211.tif 000022
【図２２】
0006447211.tif 000023
【図２３】
0006447211.tif 000024
【図２４】
0006447211.tif 000025
【図２５】
0006447211.tif 000026
【図２６】
0006447211.tif 000027